(57)【要約】【課題】後方に拡張部分を備えた吸収性物品において、吸収性物品を臀部の溝に沿って変形させた際に身体に良好にフィットし、これにより、後方領域における体液の漏れを防止する機能を高めた吸収性物品を提供する。【解決手段】後方領域は、その前端において当該後方領域の最小幅を有しており、後方領域の後端部の外形は凹凸形状を有し、体液排出口に対応する領域の中心と前記後方領域の最大幅の位置との間の前後方向の距離が８５〜１３０ｍｍであり、最大幅は、最小幅に対して１１５〜１３５％である。【選択図】図１
2019024620.tif 000002
【特許請求の範囲】
【請求項１】
透液性の表面シートと、不透液性の裏面シートと、前記表面シートと前記裏面シートとの間に設けられた吸収体とを有する本体を備えた吸収性物品であって、
装着時に装着者の体液排出口に対応する領域を含む中央領域と、当該中央領域の後方の後方領域とを有し、
前記後方領域は、その前端において当該後方領域の最小幅を有しており、
前記後方領域の後端部の外形は凹凸形状を有し、
前記体液排出口に対応する領域の中心と前記後方領域の最大幅の位置との間の前後方向の距離が８５〜１３０ｍｍであり、
前記最大幅は、前記最小幅に対して１１５〜１３５％である、吸収性物品。
【請求項２】
前記最小幅は、前記吸収性物品の全長に対して３０〜３８％であり、前記最大幅は、前記吸収性物品の全長に対して４０〜４５％である、請求項１に記載の吸収性物品。
【請求項３】
前記凹凸形状は、前後方向中心線の片側につき少なくとも２つの凹部を含む、請求項１又は２に記載の吸収性物品。
【請求項４】
前記後方領域に、前後方向中心線を線対称とする一対の圧搾溝が形成されており、前記一対の圧搾溝は、前記前後方向中心線から斜後方向に延在する一対の斜後方向延在部を有しており、
前記一対の斜後方向延在部又は当該一対の斜後方向延在部の中心線の延長線が交差する位置に、前記後方領域を変形させる基点となる変形基点が、前記体液排出口に対応する領域の中心から４５〜７０ｍｍ後方に形成されており、
前記斜後方向延在部は、前記変形基点と、前記凹凸形状の最も前方にある凹部の底点とを通る仮想線に沿って延在している、請求項１から３のいずれか一項に記載の吸収性物品。
【請求項５】
前記仮想線と前記前後方向中心線との角度が３０〜４０°である、請求項４に記載の吸収性物品。
【発明の詳細な説明】
【技術分野】
【０００１】
本発明は、吸収性物品に関する。
【背景技術】
【０００２】
従来、生理用ナプキン、パンティライナー、失禁パッド等の吸収性物品において、吸収性物品の後方及び／又は斜め後方から体液が漏れることを防止するために、吸収性物品の後方領域において長さ及び幅を大きくした拡張部分を備えたものが知られている。
【０００３】
このような拡張部分を備えた吸収性物品として、例えば特許文献１には、吸収性物品の後側におけるヒップホールド用フラップＨＦが形成されたものが記載されている。特許文献１には、ヒップホールド用フラップＨＦが、ウィング状フラップの後方側付け根部から長手方向線に対して外側に９度の角度で引いた仮想線よりも内側に形成されていることで、ヒップホールド用フラップのめくれやヨレ等を防止できる点が記載されている。
【０００４】
また、特許文献２には、中央領域より後方におけるヒップフラップ部ＨＦが形成されているものが記載されている。この吸収性物品では、ヒップフラップ部ＨＦが、第１くびれ部と、第１くびれ部の後方に位置し且つ幅が最大となる部分を含む第１フラップ部と、第１くびれ部より前方に位置する第２フラップ部とを備えており、またサイド粘着部が第１フラップ部に配置されている。特許文献２では、このような構成によって、ヒップフラップ部ＨＦのヨレを防止し、固定状態を改善できることが記載されている。
【先行技術文献】
【特許文献】
【０００５】
【特許文献１】特開２０１０−２２７２１１号公報
【特許文献２】特開２０１４−３６８３２号公報
【発明の概要】
【発明が解決しようとする課題】
【０００６】
ところで、吸収性物品の装着時には、拡張部分を備えた後方領域の少なくとも一部は、臀部（お尻）の溝の形状に対応して変形し得る。その際、臀部の溝に沿わせて変形させた状態で吸収性物品が身体へ適切にフィットしていないと、後方領域において体液の漏れが生じやすくなる。よって、拡張部分を備えた吸収性物品においては、後方領域を臀部の溝に沿わせて変形させた際のフィット性も重要である。
【０００７】
しかしながら、特許文献１、２では、吸収性物品の後方領域を臀部の溝に沿わせて変形させた際のフィット性については特段検討されていない。
【０００８】
上記の点に鑑みて、本発明の一形態は、後方に拡張部分を備えた吸収性物品において、吸収性物品を臀部の溝に沿って変形させた際に身体に良好にフィットし、これにより、後方領域における体液の漏れを防止する機能を高めた吸収性物品を提供することを課題とする。
【課題を解決するための手段】
【０００９】
本発明の第一の形態は、透液性の表面シートと、不透液性の裏面シートと、前記表面シートと前記裏面シートとの間に設けられた吸収体とを有する本体を備えた吸収性物品であって、装着時に装着者の体液排出口に対応する領域を含む中央領域と、当該中央領域の後方の後方領域とを有し、前記後方領域は、その前端において当該後方領域の最小幅を有しており、前記後方領域の後端部の外形は凹凸形状を有し、前記体液排出口に対応する領域の中心と前記後方領域の最大幅の位置との間の前後方向の距離が８５〜１３０ｍｍであり、前記最大幅は、前記最小幅に対して１１５〜１３５％である。
【００１０】
上記第一の形態によれば、吸収性物品の後方領域の後端部の外形が凹凸形状を有しているため、この凹凸形状に含まれる複数の凸部は互いに影響を及ぼすことなく比較的自由に動くことができる。そのため、吸収性物品の後端の領域を、臀部の丸みに合せて変形させることができる。また、装着時には、大きなシワが発生することなく後方領域を身体の形状に合わせて変形させて、身体にフィットさせることができる。
【００１１】
また、体液排出口対応領域の中心と後方領域の最大幅の位置との間の前後方向の距離が、所定の値を有している。すなわち、本形態の吸収性物品では、後方領域の最大幅の位置が比較的前方にある。このような構成によって、装着時に、後方領域の最大幅の位置を、臀部の溝が深くなっている部分又はその近傍に対応させることができる。そのため、本体を臀部の溝に入り込ませるよう変形させた場合でも、吸収性物品の幅に余裕を持たせることができ、側方からの漏れを防止することができる。
【００１２】
後方領域は、臀部の溝に対応する領域において十分な幅を有していないと、溝に入り込んだ分だけその領域の幅が小さくなって側方から体液が漏れる可能性があり、また臀部の溝に対応する領域の幅が大きすぎても、シワが生じて、そのシワに沿って漏れが生じたり違和感が生じたりし得る。これに対し、本形態では、後方領域の最大幅の大きさと最小幅の大きさとの関係が所定の範囲に規定されている。そのため、本体の中央付近を盛り上げて臀部の溝に入り込むように変形させた場合に、変形後の後方領域の幅を前方から後方にわたってほぼ等しくすることができる。その結果、側方からの漏れを良好に防ぐことができる。
【００１３】
本発明の第二の形態では、前記最小幅は、前記吸収性物品の全長に対して３０〜３８％であり、前記最大幅は、前記吸収性物品の全長に対して４０〜４５％である。
【００１４】
上記第二の形態によれば、後方領域における最小幅及び最大幅が、全長を基準として所定の範囲に規定されている。これにより、吸収性物品が、使用目的に応じた全長に対して適切な最大幅及び最大幅を有することができ、側方からの漏れを防ぐという上記効果を向上させることができる。
【００１５】
上記第三の形態では、前記凹凸形状は、前後方向中心線の片側につき少なくとも２つの凹部を含む。
【００１６】
本発明の第三の形態によれば、後方領域の後端部の外形の凹凸形状が、前後方向中心線の片側につき少なくとも２つの凹部を含む。これにより、上述した凹凸形状による効果、すなわち、大きなシワが寄ることなく身体の形状に合わせて後方領域を変形させることができるという効果をより一層向上させることができる。
【００１７】
本発明の第四の形態では、前記後方領域に、前後方向中心線を線対称とする一対の圧搾溝が形成されており、前記一対の圧搾溝は、前記前後方向中心線から斜後方向に延在する一対の斜後方向延在部を有しており、前記一対の斜後方向延在部又は当該一対の斜後方向延在部の中心線の延長線が交差する位置に、前記後方領域を変形させる基点となる変形基点が、前記体液排出口に対応する領域の中心から４５〜７０ｍｍ後方に形成されており、前記斜後方向延在部は、前記変形基点と、前記凹凸形状の最も前方にある凹部の底点とを通る仮想線に沿って延在している。
【００１８】
上記第四の形態によれば、後方領域に一対の圧搾溝が形成されており、この一対の圧搾溝又はその中心線の延長線が交差する所定の位置に変形基点が形成されている。このような構成により、変形基点から斜後方向延在部に沿って本体が曲がりやすくなるため、圧搾溝間の領域が盛り上がり、臀部の溝に沿って良好にフィットさせることが可能となる。
【００１９】
さらに、圧搾溝の斜後方向延在部が、変形基点と、後方領域の凹凸形状の最前の凹部の底点とを通る仮想線に沿って延在していることで、変形基点から斜後方向延在部に沿って本体がさらに曲がりやすくなる。これにより、後方領域の、臀部の溝に沿ったフィット性をさらに向上させることができる。
【００２０】
本発明の第五の形態では、前記仮想線と前記前後方向中心線との角度が３０〜４０°である。
【００２１】
上記第五の形態によれば、上記仮想線と前後方向中心線との角度を所定の範囲としているので、装着者が座った場合等に臀部の溝が広がった状態でも、後方領域を良好にフィットさせることができる。
【発明の効果】
【００２２】
本発明の一形態によれば、後方に拡張部分を備えた吸収性物品において、吸収性物品を臀部の溝に沿って変形させた際に身体に良好にフィットし、これにより、後方領域における体液の漏れを防止する機能を高めた吸収性物品を提供することができる。
【図面の簡単な説明】
【００２３】
【図１】本発明の一形態による吸収性物品の一部破断図である。
【図２】本発明の一形態による吸収性物品のＩ−Ｉ線断面図である。
【図３】本発明の一形態による吸収性物品の外形を説明するための図である。
【図４】図１の後方領域の拡大図である。
【図５】一対の圧搾溝の変形例を示す図である。
【図６】本発明の一形態による吸収性物品の装着時の状態を示す模式図である。
【発明を実施するための形態】
【００２４】
以下、本発明の実施の形態について図面を参照しながら説明する。
【００２５】
図１に、本発明の一形態による吸収性物品１の一部破断図を示す。また、図２に、図１のＩ−Ｉ線断面を示す。図１、２に示すように、吸収性物品１は、不透液性の裏面シート２と、透液性の表面シート３と、これら両シート２、３間に設けられた吸収体４とを有する本体（吸収性物品本体）８とを備えている。吸収体４の形状保持等のために、吸収体４は、クレープ紙又は不織布等からなる被包シート５によって包まれていてもよい。
【００２６】
本体８は、図１に示すように、全体としては、前後方向に所定の長さを有し、前後方向と直交する方向に所定の幅を有する細長い形状を有している。本体８の幅は、図示の例では略一定となっているが、前後方向にわたって変動していてもよい。吸収性物品１は、前後方向に延びる中心線（前後方向中心線又は長手方向中心線）ＣＬに対し略線対称の形状を有することができる。
【００２７】
また、吸収性物品本体８は、装着時に装着者の膣口等の体液排出口に対応する領域（体液排出口対応領域）５０を有しており、体液排出口対応領域５０は中心５０Ａを有している。中心５０Ａは、前後方向中心線ＣＬ上にあり、体液排出口対応領域５０の前後方向長さの中央に位置している。そして、吸収性物品１は、体液排出口対応領域５０を含む中央領域Ｍと、中央領域Ｍの前方にある前方領域Ｆと、中央領域Ｍの後方にある後方領域Ｒとを有する。中央領域Ｍは、その両側方から延びる、吸収性物品１を装着の際に下着に確実に固定するためのウィングＷ、Ｗを有していてよい。前方領域Ｆは、ウィングＷの前方の起点となる位置から前端縁までの領域であり、後方領域Ｒは、ウィングＷの後方の起点となる位置から後端縁までの領域とすることができる。また、ウィングＷ、Ｗが設けられている場合、体液排出口対応領域５０の中心５０Ａ（体液排出口対応部とも呼ぶ）は、前後方向で見て、ウィングＷ、Ｗの側方の端縁部の前後方向長さの中点の位置にあるか、又はウィングＷ、Ｗの前端と後端との中間の位置にあるものとすることができる。
【００２８】
図１、２の例では、吸収性物品１はウィングＷ、Ｗを有しているが、吸収性物品１はウィングＷ、Ｗのない形態とすることができる。その場合、ウィングＷ、Ｗが従来形成される位置にウィングＷ、Ｗを形成した場合に、ウィングＷ、Ｗ前方の起点となる位置から前方の領域を前方領域Ｆとし、ウィングＷ、Ｗの後方の起点となる位置から後方の領域を後方領域Ｒとすることができる。
【００２９】
後方領域Ｒは、前方領域に隣接する第１後方領域Ｒ１と、第１後方領域Ｒ１の後端から吸収性物品１の後端縁までの第２後方領域Ｒ２とを有する。第１後方領域Ｒ１は、装着時に装着者の臀部の溝が深くなっている場所に対応できる領域であり、肛門及び臀裂が開始する位置にも対向している。第１後方領域Ｒ１は、装着時には、臀部の溝に入り込むように幅方向中央部分が身体側に隆起するよう変形せしめられる。また、第２後方領域Ｒ２は、装着時、前方に湾曲せしめられて臀部の臀溝より上の位置に達する領域であり、身体６０のヒップ下部７０に対応するヒップ下部対応領域といえる（図６）。第１後方領域Ｒ１の後端（第２後方領域Ｒ２の前端）は、体液排出口対応領域５０の中心５０Ａから８５ｍｍ以上後方に位置し得る。
【００３０】
後方領域Ｒの前後方向の長さは、７０〜１４０ｍｍとすることができ、第１後方領域Ｒ１の前後方向の長さは、４５〜８０ｍｍとすることができ、第２後方領域Ｒ２の前後方向の長さは、３５〜７０ｍｍとすることができる。
【００３１】
本体８の周縁においては、吸収体４を含まないフラップ状部分が形成されていていよい。例えば、本体８の前方及び後方の端縁では、裏面シート２と表面シート３とが、ホットメルト等の接着剤やヒートシール、超音波シール等の接着手段によって接合されることによって、前方フラップ状部分９ａ及び後方フラップ状部分９ｂが形成されていてよい。また、表面シート３側の両側部には、それぞれ前後方向（長手方向）に沿ってサイド不織布７が設けられている。吸収体４の側方の端縁においては、サイド不織布７、７と裏面シート２とが、ホットメルト等の接着剤やヒートシール、超音波シール等の接着手段によって接合されることによって、側方フラップ状部分が形成されていてよい。側方のフラップ部分には、本体８の両側部から部分的に突出するウィングＷ、Ｗ、後方領域Ｒの側方に形成された（吸収性物品１の後ろ側方に形成された）後側方フラップ状部分９ｃを含むことができる。
【００３２】
裏面シート２としては、ポリエチレンやポリプロピレン等のオレフィン系樹脂シート等の少なくとも遮水性を有するシート材を用いることができる。ポリエチレンシート等に不織布を積層したラミネート不織布や、さらには防水フィルムを介在させて実質的に不透液性を確保した不織布の積層シート等を用いることができる。また、ムレ防止の観点から透湿性を有するものが用いられることがさらに望ましい。このような遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートを用いることができる。
【００３３】
表面シート３は、経血、おりもの、尿等の体液を速やかに透過させる透液性のシートである。表面シート３としては、有孔又は無孔の不織布や多孔性プラスチックシート等が好適に用いられる。不織布を構成する素材繊維としては、例えば、ポリエチレン、ポリプロピレン等のオレフィン、ポリエステル、ポリアミド等の合成繊維、レーヨン、キュプラ等の再生繊維、及びこれらの混紡繊維、並びに綿等の天然繊維を単独で又は２種以上組み合わせて用いることができる。また、不織布の加工法としては、スパンレース法、スパンボンド法、サーマルボンド法、メルトブローン法、ニードルパンチ法等が挙げられる。これらの加工法のうち、スパンレース法は柔軟性、スパンボンド法はドレープ性に富む不織布を製造できる点で好ましく、サーマルボンド法は嵩高でソフトな不織布を製造できる点で好ましい。また、融点の高い繊維を芯とし融点の低い繊維を鞘とした芯鞘型繊維、サイドバイサイド型繊維、分割型繊維などの複合繊維を用いることができる。
【００３４】
裏面シート２と表面シート３との間に介在される吸収体４は、体液を吸収して保持できる材料であれば限定されないが、綿状パルプと吸水性ポリマーとを含むことが好ましい。吸水性ポリマーとしては、高吸水ポリマー粒状粉（ｓｕｐｅｒａｂｓｏｒｂｅｎｔ  ｐｏｌｙｍｅｒ（ＳＡＰ））、高吸水ポリマー繊維（ｓｕｐｅｒａｂｓｏｒｂｅｎｔ  ｆｉｂｅｒ（ＳＡＦ））及びこれらの組合せを用いることができる。パルプとしては、木材から得られる化学パルプ、溶解パルプ等のセルロース繊維、レーヨン、アセテート等の人工セルロース繊維からなるものが挙げられる。化学パルプの原料材としては、広葉樹材、針葉樹材等が用いられるが、繊維長が長いこと等から針葉樹材が好適に使用される。
【００３５】
また、吸収体４には合成繊維を混合してもよい。合成繊維としては、ポリエチレン、ポリプロピレン等のポリオレフィン、ポリエチレンテレフタレート、ポリブチレンテレフタレート等のポリエステル、ナイロン等のポリアミド、及びこれらの共重合体を使用することができ、これらのうちの２種を混合して使用することもできる。また、融点の高い繊維を芯とし融点の低い繊維を鞘とした芯鞘型繊維、サイドバイサイド型繊維、分割型繊維などの複合繊維も用いることができる。なお、疎水性繊維を親水化剤で表面処理し、体液に対する親和性を付与したものを用いることもできる。
【００３６】
吸収体４の厚みは、０．５〜２５ｍｍの範囲内とすることができ、１．５〜６．５ｍｍの範囲であると好ましい。吸収体４は、前面にわたり均一な厚みを有していなくともよく、体液排出口対応領域５０及びその付近の領域、また後方領域の幅方向中央部分を膨出させた構造とすることもできる。また、吸収体４は、積繊又はエアレイド法によって製造されたものが好ましい。
【００３７】
サイド不織布７としては、撥水処理不織布又は親水処理不織布を使用することができる。例えば、経血やおりもの等が浸透するのを防止する効果又は肌触り感を高める場合は、シリコン系、パラフィン系、アルキルクロミッククロリド系撥水剤などをコーティングした撥水処理不織布を用いることが好ましい。また、ウィングＷ、Ｗにおける経血等の吸収性を高める場合には、不織布の材料として、親水処理された不織布を用いることが好ましい。不織布の種類としては、折り癖が付きにくく、シワになりにくく柔らかいエアスルー不織布が好ましい。
【００３８】
ウィングＷ、Ｗの外縁には、サイド不織布７と裏面シート２との接合のため及び剛性を高める目的で、所定の箇所に、ドット状や所定の形状を有する圧搾部（エンボス）が設けられていてもよい。
【００３９】
吸収性物品１の全長は、２１〜２８ｃｍであると好ましく、２３〜２７ｃｍであるとより好ましく、２４〜２６ｃｍであるとより好ましい。
【００４０】
図１、３に示すように、吸収性物品１の後方領域Ｒの後端部の外形は、凹凸形状を有している、すなわち２つ以上の凸部と凹部とを含む形状を有している。この凹凸形状の外形線は、図示の例のように、滑らかな曲線を含む波形状であると好ましい。図示の例では、第２後方領域Ｒ２が、凹凸形状を有している。
【００４１】
このように、第２後方領域Ｒ２が凹凸形状を有していると、凹凸形状に含まれる複数の凸部が互いに影響を及ぼすことなく比較的自由に動くことができる。これにより、第２後方領域Ｒ２の周縁は、身体の丸みに合せてフレキシブルに変形することができる。
【００４２】
また、吸収性物品１の装着時には、中央領域Ｍの両側部分は両脚からの力を受けて下方向に曲げられ、また第１後方領域Ｒ１の幅方向中央部分は臀部の溝に入り込むように隆起する。さらに、第２後方領域Ｒ２は、前方向に身体側に湾曲するようにして変形する。このような変形によって、後方領域Ｒの後側方フラップ状部分９ｃ及び後方フラップ状部分９ｂは前方に引っ張られ、本体８の周縁に沿って引き伸ばされやすくなるため、フラップ状部分９ｂ、９ｃを含む後方領域Ｒにはシワが生じたり、ヨレが生じたりしやすい。しかしながら、上述のように後方領域Ｒの後端の外形に凹凸が形成されていることで後方領域Ｒがフレキシブルに変形できるため、大きなシワが発生することなく、後方領域Ｒを身体の形状に合わせてフィットさせることができる。
【００４３】
第２後端領域Ｒの外形、すなわち後側方フラップ状部分９ｃの後方から後方フラップ状部分９ｂにわたる外形は、図３に示すように、後方領域Ｒにおける最大幅ｗ２の位置にその頂点を有する第１凸部３１と、第１凸部３１の後方に隣接する第１凹部４１と、第１凹部４１の後方に隣接する第２凸部３２と、その後方に隣接する第２凹部４２とを有していてよい。また、後方領域Ｒの端部の凹凸形状は、前後方向中心線ＣＬ上に頂点を有する第３凸部３３を有していてもよい。
【００４４】
図示の例では、前後方向中心線ＣＬで区切られた一方の側につき、２つの凹部が形成されているが、凹部及び凸部の数は、図示の例に限られない。例えば、後方領域Ｒの後端の外形は、後端全体に対して、３〜７個の凸部及び２〜６個の凹部を有していてよい。後端全体に対して４個以上の凹部が形成されている、すなわち、前後方向中心線の片側につき２個以上の凹部が形成されていることで、後方領域Ｒを身体の形状に合わせてよりフレキシブルに変形させることが可能となる。
【００４５】
第１後方領域Ｒ１の幅は、漸次大きくなっている。第１後方領域Ｒ１の外形は、図１、３に示すように直線状であってもよいし、或いは曲線状であってもよい。曲線状である場合には、幅方向外側に膨出している形状でもよく、幅方向内側に凹んでいる形状であってもよい。なお、第１後方領域Ｒ１は、装着時に両脚からの力を受けやすい位置にあるため、ヨレやめくれが生じやすい。よって、図示のように、第１後方領域Ｒ１の外形に凹凸が形成されていない形態は、ヨレやめくれを防止する観点から好ましい。
【００４６】
後方領域Ｒの後端部の領域を除いて幅を比較した場合、図３に示すように、後方領域Ｒは、その前端において後方領域Ｒの最小幅ｗ１を有する。この最小幅ｗ１は、第１後方領域Ｒ１の最小幅といえる。また、後方領域Ｒは、最小幅ｗ１の位置より後方に最大幅ｗ２を有している。最大幅ｗ２の位置は、第２後方領域Ｒ２に含まれている。
【００４７】
体液排出口対応領域５０の中心を５０Ａとした場合、中心５０Ａと最大幅ｗ２の位置との間の前後方向の距離ｄ１は、８５〜１３０ｍｍとすることができ、９０〜１２０ｍｍであると好ましく、９５〜１１５ｍｍであると好ましく、１００〜１１０ｍｍであるとより好ましい。ｄ１を８５ｍｍ以上とすることで、最大幅ｗ２が脚に近付いてシワやヨレの原因になったり違和感が生じたりすることを防止することができる。また、ｄ１を１３０ｍｍ以下とすることで、最大幅ｗ２の位置を、装着時に装着者の肛門に比較的近い、臀部の溝が深い部分又はその近傍、すなわち第１後方領域Ｒ１の近傍に対応させることができる。これにより、第１後方領域Ｒ１における本体８を臀部の溝に深く入り込ませるよう変形させた場合でも、吸収性物品１の後方領域Ｒの幅に余裕を持たせることができ、側方からの漏れを防止することができる。
【００４８】
また、中心５０Ａと最大幅ｗ２の位置との間の前後方向の距離ｄ１の、最小幅ｗ１に対する比の値（ｄ１／ｗ１）は１〜１．６とすることができ、１．１〜１．５であると好ましい。ｄ１／ｗ１を上記範囲とすることで、最大幅ｗ２の位置を、比較的前方に配置することができる。このような構成によって、最大幅ｗ２の位置を、装着時に装着者の臀部の溝が深い部分又はその近傍に対応させることができる。
【００４９】
さらに、最大幅ｗ２は、最小幅ｗ１に対して１１５〜１３５％とすることができ、１１８〜１３３％とすることが好ましく、１２０〜１３０％とすることがより好ましい。最大幅ｗ２と最小幅ｗ１との関係を上記範囲にすることにより、後方領域Ｒの幅方向中央付近、特に第１後方領域Ｒ１の幅方向中央付近を盛り上げて臀部の溝に入り込ませるようにして変形させた場合であっても、変形後の後方領域Ｒの幅を前方から後方にわたってほぼ等しくすることができる。これにより、側方からの漏れを良好に防ぐことができる。
【００５０】
通常、後方領域Ｒの本体８が臀部の溝に沿って変形した場合、溝に入り込んだ分だけ、後方領域Ｒの変形後の幅が小さくなる。そのため、最大幅ｗ２の大きさが十分でない場合には、側方からの体液の漏れが生じる可能性がある。本形態では、最大幅ｗ２を最小幅ｗ１に対して１１５％以上とすることで、後方領域Ｒが、臀部の溝に対応する領域において十分な幅を有するため、後方領域Ｒの幅方向中央部分が隆起して臀部の溝に入り込んでも側方からの体液の漏れを防止できることができる。また、最大幅ｗ２が過度に大きい場合には不要なシワが生じることがあるが、最大幅ｗ２を最小幅ｗ１に対して１３５％以下とすることで、そのようなシワを防止できる。これにより、シワに沿って体液が漏れることを防止でき、また違和感も解消できる。
【００５１】
また、最大幅ｗ２を最小幅ｗ１に対して１１８〜１３３％とし、好ましくは１２０〜１３０％とすることにより、標準的に装着（通常に装着）した場合に、後方領域Ｒを装着者の身体により適切にフィットさせることができる。
【００５２】
なお、上記の変形後の幅とは、実際に装着した際、吸収性物品１を上から見た場合、或いは平面視した場合の幅を意味する。よって、本形態によれば、装着時には、最小幅ｗ１の位置の幅と、最大幅ｗ２の位置の幅とは、上から見た場合にほぼ同じになることができる。
【００５３】
最大幅ｗ２と最小幅ｗ１との差（ｗ２−ｗ１）は、１５〜２５ｍｍであると好ましく、１７〜２３ｍｍであるとより好ましい。上記範囲とすることで、装着時の変形後の幅を、前後方向にわたり、最小幅ｗ１の位置と最大幅ｗ２の位置とでほぼ同じにすることができる。
【００５４】
また、後方領域Ｒにおける最小幅ｗ１の位置と最大幅ｗ２の位置との距離は、最小幅ｗ１より小さいと好ましい。後方領域Ｒにおける最小幅ｗ１の位置と最大幅ｗ２の位置との距離ｄ２の、最小幅ｗ１に対する比の値（ｄ２／ｗ１）は、０．５５〜０．９８であると好ましく、０．６５〜０.９であるとより好ましい。上記範囲とすることで、最大幅ｗ２の位置を、臀部の溝が深くなっている部分又はその近傍に対応させることができるので、本体を臀部の溝に入り込ませるよう変形させた場合でも、側方からの漏れを防止することができる。
【００５５】
最小幅ｗ１は、吸収性物品１の全長Ｌ（図３）に対して３０〜３８％であると好ましい。また、最大幅ｗ２は、吸収性物品１の全長に対して４０〜４５％であると好ましい。このように、後方領域Ｒにおける最小幅ｗ１及び最大幅ｗ２を、全長を基準として上記範囲とすることにより、吸収性物品１が、使用目的に応じた全長に対して適切な最大幅ｗ１及び最大幅ｗ２を有することができる。これにより、後方領域Ｒにおいて、側方からの漏れを防ぐという効果を向上させることができる。
【００５６】
中心５０Ａと最大幅ｗ２の位置との間の前後方向の距離ｄ１の、全長Ｌに対する比の値（ｄ１／Ｌ）は、０．３５〜０．４６とすることと好ましく、０．３８〜０．４３とするとより好ましい。後方領域Ｒにおける最小幅ｗ１の位置と最大幅ｗ２の位置との距離ｄ２の、最小幅ｗ１に対する比の値（ｄ２／Ｌ）は、０．２〜０．３であると好ましく、０．２２〜０．２８であるとより好ましい。
【００５７】
吸収性物品１の本体８には、表面シート３側から前記裏面シート２側へと窪む圧搾溝（圧縮溝、エンボスともいう）が形成されていてよい。圧搾溝は、吸収体４の上に表面シート３を積層させた積層体を、一対の加圧ロールの間に通過させることによって形成することができる。例えば、上記積層体を、表面シート３側及び吸収体４側に、凸状のロール及び平坦なロールがそれぞれ配置されるようにして通過させることができる。
【００５８】
図１、４に示すように、圧搾溝として、後方領域Ｒにおいて、前後方向中心線ＣＬを線対称とする一対の圧搾溝（後方圧搾溝）１５、１５が形成されている。この一対の後方圧搾溝１５、１５は、前後方向中心線ＣＬから斜後方向に延在する斜後方向延在部１５Ａ、１５Ａを有している。一対の後方圧搾溝１５、１５は、第１後方領域Ｒ１及び第２後方領域Ｒ２にわたって形成されていてよいが、斜後方延在部１５Ａ、１５Ａは、後述のように本体８の変形に関係するため、第１後方領域Ｒ１に形成されていると好ましい。
【００５９】
吸収性物品１を装着した場合、本体８は、斜後方向延在部１５Ａ、１５Ａに沿った斜後方向に容易に折り曲げることができる。これにより、斜後方向延在部１５Ａ、１５Ａ間の領域、ひいては後方向圧搾溝１５、１５間の領域を身体に向かって盛り上げることができる。
【００６０】
斜後方向延在部１５Ａ、１５Ａは、全体としては、上述のように装着時に折り曲げられた際に斜後方向に延びる折り線に沿っていればよく、直線状に延在してもよいし、少なくとも一部が湾曲していてもよい。斜後方向延在部１５Ａ、１５Ａが湾曲している場合には、その形状は、幅方向外側に膨出していてもよいし、幅方向内側に凹んでいてもよい。また、斜後方向延在部１５Ａ、１５Ａは、図示の例のように、幅方向外側に膨出する形状と幅方向内側に凹む形状とを組み合わせた形状であってもよく、すなわち、曲率半径を２以上有する、或いは変曲点を有する形状であってもよい。
【００６１】
後方向圧搾溝１５、１５全体の前後方向の長さは、４０〜６０ｍｍ程度とすることができる。また、斜後方向延在部１５Ａ、１５Ａの前後方向の長さは、２５〜４０ｍｍ程度とすることができる。
【００６２】
図４に示すように、一対の後方圧搾溝１５、１５に含まれる一対の斜後方向延在部１５Ａ、１５Ａの中心線の延長線が交差する位置には、変形基点２０が形成されている。変形基点２０は、後方領域Ｒを変形させる基点となることができる。この変形基点２０は、第１後方領域Ｒ１に形成されており、装着時には、臀裂部の開始位置に対応し得る。
【００６３】
このように、本体８は、変形基点２０を基点とし、斜後方向に延在している斜後方向延在部１５Ａ、１５Ａに沿って折り曲げられやすくなっているので、吸収性物品１の装着時には、一対の後方圧搾溝１５、１５の領域を身体の側へと容易に盛り上げることができる。これにより、後方領域Ｒを臀部の溝が深くなっている場所に対応させて変形させることができる。変形基点２０は、前後方向中心線ＣＬ上にあると、本体８の右左をバランスよく変形させることができるので、好ましい。
【００６４】
変形基点２０は、体液排出口対応領域５０の中心５０Ａから４５〜７０ｍｍ後方に位置していると好ましく、５０〜６５ｍｍ後方に位置しているとより好ましい、５５〜６５ｍｍ後方に位置しているとさらに好ましい。変形基点２０の位置を上記範囲とすることで、一対の後方圧搾溝１５、１５が臀部の溝に的確に対応するため、装着時に後方領域Ｒを溝に良好に密着させることができ、体液の漏れを防止する機能を向上させることができる。
【００６５】
斜後方向延在部１５Ａ、１５Ａの延在方向は、後方領域Ｒの後端の凹凸形状の凹部の位置と関連していることが好ましい。具体的には、図４に示すように、変形基点２０と、後方領域Ｒの端部の凹凸形状の最も前方にある凹部、すなわち第１凹部４１の底点Ｐとを通る直線状の仮想線Ｘを引いたとき、斜後方向延在部１５Ａ、１５Ａが、この仮想線Ｘに沿って延在していてよい。後斜方向延在部１５Ａ、１５Ａが仮想線Ｘに沿って延在している、とは、後斜方向延在部１５Ａ、１５Ａが仮想線Ｘ上にあるか又は接していることを指す。
【００６６】
このように、斜後方向延在部１５Ａ、１５Ａの延在方向と第１凹部４１の底点Ｐとが対応していることで、吸収性物品１の装着時に、後方領域Ｒが斜後方向延在部１５Ａ、１５Ａに沿って折り曲げやすくなる。これにより、後方領域Ｒ、特に第１後方領域Ｒ１を、臀部の溝の形状に合わせて容易に変形させることができる。そのため、装着時の後方領域Ｒの変形後の幅を前方から後方にわたってほぼ等しくするという上述の効果をより確実に得ることができる。
【００６７】
なお、第１凸部３１の曲率半径は、第２凸部３２の曲率半径より大きいことが好ましく、第１凹部４１の曲率半径は、第２凹部４２の曲率半径と同等であるか又はそれよりも小さいことが好ましい。また、第１凹部４１の曲率半径は、第１凸部３１の曲率半径よりも小さくなっていると好ましい。さらに、第１凹部４１の曲率半径は、第２凸部３２の曲率半径と同等であるか又はそれより小さくなっていると好ましい。第１凹部４１の曲率半径が両側の凸部の曲率半径より小さくなっている場合には、第１凹部４１の底点を基点として後方領域Ｒをより容易に折り曲げることができる。これにより、斜後方向延在部１５Ａ、１５Ａと第１凹部４１とが対応する上述の構成によって、本体８を臀部の溝の深い位置に密着させることができるという効果を一層向上させることができる。
【００６８】
第１凸部３１の曲率半径は１５〜３０ｍｍとすることができ、２０〜３０ｍｍであると好ましい。第２凸部３２の曲率半径は１０〜２７ｍｍとすることができ、１７〜２７ｍｍであると好ましい。第３凸部３３の曲率半径は１０〜２５ｍｍとすることができ、１０〜２０ｍｍであると好ましい。また、第１凹部４１の曲率半径は７〜１７ｍｍとすることができ、第２凹部４２の曲率半径は１０〜３０ｍｍとすることができ、２０〜３０ｍｍであると好ましい。
【００６９】
図４に示すように、仮想線Ｘは前記前後方向中心線ＣＬに対して所定の角度αを有しているが、角度αは３０〜４０°であると好ましい。角度αを上記範囲とすることで、一対の後方圧搾溝１５、１５間の領域が、臀部の溝に食い込みすぎたり、臀部の溝の深い部分まで十分に到達できなかったりすることを防止することができる。また、角度αを上記範囲とすることで、装着時に椅子等に座った場合に臀部の溝が大きくなった場合でも、後方圧搾溝１５、１５間の領域が臀部の溝に良好にフィットさせることができる。さらに、角度αを上記範囲とすることで、臀部の溝に沿った本体８の変形が容易になるので、装着時の後方領域Ｒの変形後の幅を前方から後方にわたってほぼ等しくするという上述の効果を一層高めることができる。
【００７０】
一対の後方圧搾溝１５、１５は、図１、４の例では互いに離間し、全体として前方に先端が向いている略ハート形状を構成しているが、後方領域Ｒに形成される後方圧搾溝の平面視の形状は、図１、４のものに限られない。
【００７１】
図５に、後方領域Ｒに形成される圧搾溝の別の例を示す。図５（ａ）に、図１、４に示す一対の後方圧搾溝１５、１５の前方が連結している例を示す。この場合には、変形基点２０は、一対の後方圧搾溝１５、１５にそれぞれ含まれる後斜方向延在部１５Ａ、１５Ａが交差する点となっている。このように、一対の後方圧搾溝１５、１５が前方で連結し、これにより後斜方向延在部１５Ａ、１５Ａが連結している場合、変形基点２０の剛性が高まるので、後斜方向延在部１５Ａ、１５Ａに沿って本体８をさらに折り曲げやすくなる。これにより、臀部の溝に対応させたフィット性を高めることができる。
【００７２】
また、一対の後方圧搾溝１５、１５は、図５（ｃ）に示すように、略ハート形でない、後端で連結した形状であってもよい。また、図５（ｂ）及び（ｄ）に示すように、一対の後方圧搾溝１５、１５がそれぞれ、後斜方向延在部１５Ａ、１５Ａからなっているものであってもよい。その場合、一対の後方圧搾溝１５、１５間の剛性を低くすることができるので、肌触りを向上させるという観点からは好ましい。
【００７３】
以上説明したように、本形態の吸収性物品１によれば、後方領域Ｒにおける体液の漏れ、特に側方からの体液の漏れを効果的に防止することができる。よって、本形態の吸収性物品１は、全長が２１〜２８ｃｍの昼用の、特に長時間座った状態で使用される生理用ナプキンとして好適に使用することができる。
【符号の説明】
【００７４】
１  吸収性物品
２  裏面シート
３  表面シート
４  吸収体
５  被包シート
７  サイド不織布
８  本体（吸収性物品本体）
９ａ、９ｂ、９ｃ  フラップ状部分
１１  前方圧搾溝
１３  中央圧搾溝
１５  後方圧搾溝
１５Ａ  斜後方向延在部
２０  変形基点
３１、３２、３３  凸部
４１、４２  凹部
５０  体液排出口対応領域
５０Ａ  体液排出口対応領域の中心
６０  身体
７０  ヒップ下部
ＣＬ  前後方向中心線
Ｆ  前方領域
Ｍ  中央領域
Ｒ  後方領域
Ｒ１  第１後方領域
Ｒ２  第２後方領域
Ｐ  第１凹部の底点
Ｘ  仮想線
Ｗ  ウィング
【図１】
2019024620.tif 000003
【図２】
2019024620.tif 000004
【図３】
2019024620.tif 000005
【図４】
2019024620.tif 000006
【図５】
2019024620.tif 000007
【図６】
2019024620.tif 000008